(57)【要約】【課題】ボディを小型化できるＳＬ兼用の給湯口アダプターを提供する。【解決手段】本発明の給湯口アダプターＡにおいて、ボディＢは、一方側および他方側管路１３ａ，１３ｂを有するボディ本体１と、ボディ本体１に取り付けられる２本の管用継手２，２とを備える。正面視でボディ本体１を周方向に並んで配置される第１〜第４区分Ｒ１〜Ｒ４に区分けし、一方側管路１３ａは第１区分Ｒ１に配置され、他方側管路１３ｂは第３区分Ｒ３に配置される。一方側管路１３ａの後端位置が、他方側管路１３ｂの後端位置に対し前方に配置される。一方側管路１３ａの後端の継手受口１４ａが第１区分Ｒ１から第２区分Ｒ２に向かう方向に開口され、他方側管路１３ａの後端の継手受口１４ｂが第３区分Ｒ３から第４区分Ｒ４に向かう方向に開口される。管用継手２の連結口２６が、一方側および他方側管路の継手受口１４ａ，１４ｂに回転自在に取り付けられる。【選択図】図４
2018063062.tif 000002
【特許請求の範囲】
【請求項１】
浴槽壁の取付孔における浴槽外側に配置されるボディと、前部が浴槽内側に配置された状態で後部が浴槽内側から取付孔に挿通されて前記ボディに接続されるアダプター本体とを備え、前記ボディは、後方に延びるように配置された一方側および他方側管路を有するボディ本体と、前記一方側および他方側管路にそれぞれ対応して前記ボディ本体に取り付けられる２本の管用継手とを備えた給湯口アダプターであって、
正面視において前記ボディ本体を周方向に沿って並んで配置される第１〜第４の４つの区分に区分けした際に、前記一方側管路の後側部は前記第１区分に配置されるとともに、前記他方側管路の後側部は前記第３区分に配置され、
前記一方側管路の後端位置が、前記他方側管路の後端位置に対し前方または後方に配置され、
前記一方側管路の後端に連通する継手受口が前記第１区分から前記第２区分に向かう方向に開口されるとともに、前記他方側管路の後端に連通する継手受口が前記第３区分から前記第４区分に向かう方向に開口され、
前記管用継手は、外管を接続するための外管接続部と、その外管接続部の基端側に設けられ、かつ前記外管接続部の軸心に対し直交する方向に開口する連結口とを備え、
前記管用継手の連結口が、前記一方側および他方側管路の継手受口に互いの開口軸回りに回転自在に取り付けられていることを特徴とする給湯口アダプター。
【請求項２】
前記ボディが浴槽壁の取付孔に挿通可能に構成されている請求項１に記載の給湯口アダプター。
【請求項３】
前記一方側および他方側の管路の前端開口は前記ボディ本体の前面において点対称の位置に配置されている請求項１または２に記載の給湯口アダプター。
【請求項４】
請求項２に記載の給湯口アダプターを浴槽壁の取付孔に取り付けるようにした給湯口アダプターの取付方法であって、
浴槽外側から取付孔を介して浴槽内側に引き込まれた外管の引込端部を、前記ボディの外管接続部に接続する工程と、
外管が接続されたボディを取付孔に通過させて浴槽外側に配置する工程と、
前記アダプター本体の後部を取付孔に挿入して前記槽外取付部材に接続するとともに、前記アダプター本体の前部を浴槽内側に配置する工程とを含むことを特徴とする給湯口アダプターの取付方法。
【発明の詳細な説明】
【技術分野】
【０００１】
この発明は、浴槽の壁部に湯水の吐出／吸引用に取り付けられる給湯口アダプターおよびその取付方法に関する。
【背景技術】
【０００２】
湯水循環式の浴槽システムにおいては、浴槽壁に給湯口アダプターが組み付けられており、この給湯口アダプターを介して、室外給湯機から浴槽内に湯水を供給したり、室外給湯機と浴槽との間で湯水を循環させるようにしている。通常の給湯口アダプターは、浴槽の外側（裏側）に配置されるボディ等の槽外取付部材と、浴槽の内側（表側）から浴槽壁の取付孔を通じて上記ボディに組み付けられるアダプター本体とを備えている。
【０００３】
このような循環式の給湯口アダプターにおいては、内部に往き流路と戻り流路との２本の流路が設けられており、各流路に対応してボディに２本の外管接続部（管用継手）が設けられている。さらに各管用継手には、室外の給湯機に接続される往き管および戻り管の２本の外管がそれぞれ連結されている。
【０００４】
一般にこのような給湯口アダプターは、ボディが浴槽の外壁面に取り付けられるものであるため、構造上、浴槽の裏面側における取付孔周辺で作業できないような場合、組み付けることが困難である。
【０００５】
そこで特許文献１〜３に示すように、ボディ等の槽外取付部材を浴槽の内側から組み付けることができるようにした給湯口アダプターの内側施工方法が提案されている。この内側施工方式に用いられる給湯口アダプターは、浴槽内側から浴槽壁の取付孔に挿通可能なボディと、浴槽内側に組み付けられるアダプター本体とを備えている。この給湯口アダプターを浴槽壁に組み付ける場合には、浴槽外側から往き管および戻り管等の外管を取付孔を介して浴槽内に引き込んでおき、浴槽内側において外管の引込端部にボディを接続した後、その外管付きのボディを取付孔に通して浴槽裏側に配置する。その後、アダプター本体を連結部材等を介してボディに固定することにより、給湯口アダプターを浴槽壁に組み付けるようにしている。
【０００６】
一方、給湯口アダプターのボディは、管用継手がボディの軸心に沿って平行に延びる後方引出型、いわゆるストレート型（Ｓ型またはＩ型）のものと、ボディの軸心に対し略直角に折れ曲がった方向に延びる側方引出型、いわゆる折れ曲がり型（Ｌ型）のものとが存在する。そして、設置現場のアダプター組付スペースの状況等に応じて、Ｓ型のボディと、Ｌ型のボディとを適宜使い分けるようにしている。
【０００７】
ところが、ボディが２種類あると、部品点数が増大するばかりか、付け間違い等による面倒な交換作業も生じる可能性もある。
【０００８】
そこで近年になって下記特許文献４に示すように、給湯口アダプターのボディにおいて、Ｓ型ボディとＬ型ボディとを兼用することができるものが提案されている。
【０００９】
同文献に示す給湯口アダプターのボディは、ボディ本体に、外管接続部としての２本の管用継手が回転自在に連結されている。そして管用継手をボディ本体に対し回転操作することによって、管用継手をボディ本体の軸心に対し平行に配置するＳ型仕様形態と、ボディの軸心に対し直交して配置するＬ型仕様形態とのいずれの形態でも使用できるように構成されている。
【先行技術文献】
【特許文献】
【００１０】
【特許文献１】特許第３５１３５８２号
【特許文献２】特許第３９８１７８６号
【特許文献３】特許第４１２９７０９号
【特許文献４】特開２０１５−２１６３８号
【発明の開示】
【発明が解決しようとする課題】
【００１１】
しかしながら、上記特許文献４に開示されるようなＳ型およびＬ型兼用の給湯口アダプターにおいては、ボディの大型化を来してしまい、ボディを浴槽壁の取付孔に挿通することができず、上記特許文献１〜３に示す内側施工方式を採用することが困難であるという課題があった。
【００１２】
すなわち上記特許文献４に示す給湯口アダプターのボディは、ボディ本体内にボディの軸心に沿って後方に延びる上下２本の流路が設けられており、上側の流路の後端に上向きに開口する上向き継手受口が設けられるとともに、下側の流路の後端に下向きに開口する下向き継手受口が設けられている。また管用継手は、先端側の外管接続部に対し、基端側の差込連結部が９０°折れ曲がったＬ字型に形成されており、２本の管用継手における各差込連結部が、上向き継手受口および下向き継手受口にそれぞれ回転自在に連結されている。こうして管用継手の差込連結部がボディ本体の継手受口の軸心回り（上下方向の軸回り）に回転自在に取り付けられ、その回転操作によって、管用継手の外管接続部がボディ本体の軸心に平行なＳ型仕様形態と、ボディの軸心に直行するＬ型仕様形態とのいずれの形態にも対応できるように構成されている。
【００１３】
しかしながら、この給湯口アダプターのボディでは、ボディ本体における外周面の上下から管用継手の差込連結部が上下に突出するように配置されるため、ボディ全体のサイズが大きくなり、ボディを浴槽壁の取付孔に挿通できる程度に小型化を図ることができないという課題が発生し、例えば上記特許文献１〜３に示すような内側施工方式を採用することが困難であった。
【００１４】
この発明は、上記の課題に鑑みてなされたものであり、管用継手の外管接続部がボディ本体の軸心にほぼ平行に配置されるＳ型仕様形態と、直角に配置されるＬ型仕様形態とのいずれの形態でも対応できる上さらに、ボディの小型化を図ることができる給湯口アダプターおよびその取付方法を提供することを目的とする。
【課題を解決するための手段】
【００１５】
上記課題を解決するため、本発明は、以下の手段を備えるものである。
【００１６】
［１］浴槽壁の取付孔における浴槽外側に配置されるボディと、前部が浴槽内側に配置された状態で後部が浴槽内側から取付孔に挿通されて前記ボディに接続されるアダプター本体とを備え、前記ボディは、後方に延びるように配置された一方側および他方側管路を有するボディ本体と、前記一方側および他方側管路にそれぞれ対応して前記ボディ本体に取り付けられる２本の管用継手とを備えた給湯口アダプターであって、
正面視において前記ボディ本体を周方向に沿って並んで配置される第１〜第４の４つの区分に区分けした際に、前記一方側管路の後側部は前記第１区分に配置されるとともに、前記他方側管路の後側部は前記第３区分に配置され、
前記一方側管路の後端位置が、前記他方側管路の後端位置に対し前方または後方に配置され、
前記一方側管路の後端に連通する継手受口が前記第１区分から前記第２区分に向かう方向に開口されるとともに、前記他方側管路の後端に連通する継手受口が前記第３区分から前記第４区分に向かう方向に開口され、
前記管用継手は、外管を接続するための外管接続部と、その外管接続部の基端側に設けられ、かつ前記外管接続部の軸心に対し直交する方向に開口する連結口とを備え、
前記管用継手の連結口が、前記一方側および他方側管路の継手受口に互いの開口軸回りに回転自在に取り付けられていることを特徴とする給湯口アダプター。
【００１７】
［２］前記ボディが浴槽壁の取付孔に挿通可能に構成されている前項１に記載の給湯口アダプター。
【００１８】
［３］前記一方側および他方側の管路の前端開口は前記ボディ本体の前面において点対称の位置に配置されている前項１または２に記載の給湯口アダプター。
【００１９】
［４］前項２に記載の給湯口アダプターを浴槽壁の取付孔に取り付けるようにした給湯口アダプターの取付方法であって、
浴槽外側から取付孔を介して浴槽内側に引き込まれた外管の引込端部を、前記ボディの外管接続部に接続する工程と、
外管が接続されたボディを取付孔に通過させて浴槽外側に配置する工程と、
前記アダプター本体の後部を取付孔に挿入して前記槽外取付部材に接続するとともに、前記アダプター本体の前部を浴槽内側に配置する工程とを含むことを特徴とする給湯口アダプターの取付方法。
【発明の効果】
【００２０】
発明［１］の給湯口アダプターによれば、ボディ本体を周方向に並ぶ第１〜第４区分に区分けし、一方側および他方側管路を第１および第３区分に形成して、一方側管路後端の継手受口を第２区分に向けて開口させるとともに、他方側管路後端の継手受口を第４区分に向けて開口させて、各継手受口に各管用継手の連結口をそれぞれ回転自在に取り付けているため、各管用継手の回転軸上にそれぞれ形成される直交管路の一方側が、第１区分から第２区分にかけて配置されるとともに、他方側が第３区分から第４区分にかけて配置される。このためこの一方側および他方側直交管路がボディ本体の外周面から外径方向に突出するのを回避することができ、管用継手を含めたボディ全体の小型化ないしスリム化を図ることができる。さらに本発明においては、一方側管用継手の回転軸部に対応する一方側管路の後端を、他方側管用継手の回転軸部に対応する他方側管路後端に対し前後方向に位置をずらせているため、各管用継手の可動領域に直交管路等の部位が配置されるのを防止でき、両管用継手を他の部位に干渉させずに無理なく回転させることができ、Ｓ型およびＬ型兼用の給湯口アダプターとして不具合なく使用することができる。
【００２１】
発明［２］の給湯口アダプターによれば、浴槽における取付孔裏面側のスペースが狭くて取付孔裏面側での作業が困難な場合であっても、浴槽内側からの作業のみで組み付ける内側施工方式を採用することができる。
【００２２】
発明［３］の給湯口アダプターによれば、アダプター本体に対しボディを１８０°回転させた状態でも取り付けることができる。このためＬ型仕様形態で使用するような場合、ボディを１８０°回転させて取り付けることによって、外管接続部の突出方向、つまり外管の引出方向を１８０°反転させることができ、汎用性を向上させることができる。
【００２３】
発明［４］の給湯口アダプターの取付方法によれば、浴槽内側からの作業のみで組み付けることができるため、浴槽における取付孔裏面側のスペースが狭くて取付孔裏面側での作業が困難な場合であっても、給湯口アダプターを確実に取り付けることができる。
【図面の簡単な説明】
【００２４】
【図１】図１はこの発明の実施形態である給湯口アダプターを分解して示す斜視図である。
【図２Ａ】図２Ａは実施形態の給湯口アダプターをＳ型仕様形態で使用する場合の裏面側の斜視図である。
【図２Ｂ】図２Ｂは実施形態の給湯口アダプターをＬ型仕様形態で使用する場合の裏面側の斜視図である。
【図３Ａ】図３Ａは実施形態の給湯口アダプターをＳ型仕様形態で使用する場合の平面図である。
【図３Ｂ】図３Ｂは実施形態の給湯口アダプターをＬ型仕様形態で使用する場合の平面図である。
【図４】図４は図３ＡのIV−IV線断面図である。
【図５】図５は図３ＡのＶ−Ｖ線断面図である。
【図６】図６は実施形態の給湯口アダプターを示す正面図である。
【図７】図７は実施形態の給湯口アダプターに適用されたボディを分解して示す裏面側の斜視図である。
【図８】図８は実施形態のボディにけるボディ本体を示す図であって、図（ａ）は平面図、図（ｂ）は正面図、図（ｃ）は下面図である。
【図９】図９は実施形態のボディにおける管用継手を示す斜視図である。
【発明を実施するための形態】
【００２５】
図１〜図６はこの発明の実施形態である給湯口アダプターＡを説明するための図、図７〜図９は実施形態の給湯口アダプターＡに採用されたボディＢを説明するための図である。
【００２６】
これらの図に示すように本実施形態に採用される給湯口アダプターＡは、浴槽壁Ｗに設けられた取付孔Ｈに組み付けられる。この給湯口アダプターＡは、室外の給湯機から供給された湯水を浴槽内に供給する湯はり処理の他に、浴槽内の湯水を吸い込んで室外の給湯機に送り、そこで再加熱して、高温のお湯を浴槽内に戻すようにした追い焚き処理（循環処理）を行えるものである。
【００２７】
本実施形態の給湯口アダプターＡは、槽外取付部材を構成するボディＢと、フランジ部材３と、流路仕切部材等と称されるアダプター本体５とを基本的な構成要素として備えている。さらにボディＢは、ボディ本体１と、２本の管用継手２，２とを備えている。
【００２８】
ここで本実施形態においては、発明の理解を容易にするために、給湯口アダプターＡの軸心に平行な方向を「前後方向」とし、その前後方向のうち浴槽の内側に向かう方向を「前方向」、外側に向かう方向を「後方向」として説明する。つまり本実施形態では、図３Ａおよび図３Ｂに向かって左方向を「前方向」とし、同図の右方向を「後方向」としている。さらに本実施形態においては、前側を「正面側」「表側（表面側）」、後側を「裏側（裏面側）」または「背面側」と称する場合もある。また本発明においては、図６の正面図に向かって上方向を「上方向」とし、同図の下方向を「下方向」とし、同図の左方向を「左方向」とし、同図の右方向を「右方向」として説明する。
【００２９】
本実施形態の給湯口アダプターＡにおいては、ボディ本体１は図８（ｂ）の正面視で見た状態で、ボディ本体１を周方向に沿って４等分することにより、周方向に並んで配置される４つの区分Ｒ１〜Ｒ４に区分けされている。具体的には同図の一点鎖線で示すように、ボディ本体１の正面の中心を通り上下方向に沿う二等分線と、左右方向に沿う二等分線とによってボディ本体４が４つの区分Ｒ１〜Ｒ４に区分けされている。本実施形態においては、時計の文字盤を例に挙げて説明すると、時計回りで１２時から３時の範囲（右上部分）を第１区分Ｒ１とし、３時から６時の範囲（右下部分）を第２区分Ｒ２とし、６時から９時の範囲（左下部分）を第３区分Ｒ３とし、９時から１２時の範囲（左上部分を第４区分Ｒ４とする。つまり第１区分Ｒ１から図８（ｂ）の時計回りに第２区分Ｒ２、第３区分Ｒ３および第４区分Ｒ４がこの順に並んで配置されている。
【００３０】
なお本実施形態では、ボディ本体１の右上部分を第１区分Ｒ１としているが、それだけに限られず、本発明においては、右下部分、左下部分および左上部分のいずれかを第１区分としても良い。さらに本実施形態では、第１〜第４区分Ｒ１〜Ｒ４が図８（ｂ）の時計回りの順に並んで配置されているが、それだけに限られず、本発明においては第１〜第４区分が反時計回りの順に並んで配置されるようにしても良い。
【００３１】
図１〜図５および図７〜図９に示すようにボディ本体１は、正面視略円形の前側部１１と、前側部１１の裏面側に一体に形成された２つの管路形成部１２ａ，１２ｂとを備えている。２つの管路形成部のうち、一方側管路形成部１２ａはその前端が、前側部１１の裏面側における右上の第１区分Ｒ１に接続されて、ボディ本体１の軸心（給湯口アダプターＡの軸心）に平行に後方に延びるように配置されている。他方側の管路形成部１２ｂはその前端が、前側部１１の裏面側における左下の第３区分Ｒ３に接続されて、ボディ本体１の軸心に平行に後方に延びるように配置されている。他方側管路形成部１２ｂは、一方側管路形成部１２ａより長く形成されて、他方側管路形成部１２ｂの後端は、一方側管路形成部１２ａの後端よりも後方に配置されている。なお両管路形成部１２ａ，１２ｂは前後方向において互いに重なり合う部分が一体に形成されている。
【００３２】
両管路形成部１２ａ，１２ｂの内部には軸心方向に沿って延びる管路１３ａ，１３ｂが形成されている（図４および図５参照）。管路１３ａ，１３ｂの前端は大径に形成されて、前側部１１の前面において前方にそれぞれ開口されている。
【００３３】
また、一方側管路形成部１２ａの後端部下面には、下面視（底面視）円形の継手受口１４ａが形成されており、この継手受口１４ａにおいて一方側管路１３ａの後端部が下向きに開口されている。換言すると、一方側管路１３ａの後端に設けられた継手受口１４ａが前後方向に対し直交する方向（上下方向）であって、正面視において第１区分Ｒ１から第２区分Ｒ２に向かう方向（下向き）に開口されている。
【００３４】
さらに他方側管路形成部１２ｂの後端部上面には、平面視円形の継手受口１４ｂが形成されており、この継手受口１４ｂにおいて他方側管路１３ｂの後端部が上向きに開口されている。換言すると、他方側管路１３ｂの後端に設けられた継手受口１４ｂが前後方向に対し直交する方向（上下方向）であって、正面視において第３区分Ｒ３から第４区分Ｒ４に向かう方向（上向き）に開口されている。
【００３５】
管用継手２は、往き管および戻り管等の外管９を接続するための直管状の外管接続部２１と、外管接続部２１の基端に外管接続部２１の軸心に対し直交する方向に突出し、かつ上記ボディ本体１の継手受口１４ａ，１４ｂに差込可能な円筒状の差込連結部２５とを一体に備えている。
【００３６】
管用継手２の差込連結部２５の先端面には、差込連結部２５の軸心と平行な方向、つまり外管接続部２１の軸心に対し直交する方向に開口する円形の連結口２６が形成されている。外管接続部２１および差込連結部２５の内部は互いに連通されており、よって外管接続部２１の先端開口が差込連結部２５の連結口２６に連通されている。
【００３７】
この管用継手２，２の差込連結部２５，２５がボディ本体１の継手受口１４ａ，１４ｂに継手受口１４ａ，１４ｂおよび差込連結部２５，２５の連結口２６，２６の開口軸回り（上下方向の軸心回り）に回転自在に取り付けられる。そして管用継手２，２を回転操作することによって、図２Ａおよび図３Ａに示すように管用継手２，２がボディ本体１の軸心に対し平行配置に、後方に延びるように配置されるストレート型（Ｓ型）の仕様形態と、図２Ｂおよび図３Ｂに示すようにボディ本体１の軸心に対し直交して側方（右方向）に延びるように配置される折れ曲がり型ないしエルボー型（Ｌ型）の仕様形態とのいずれの形態でも使用できるようになっている。
【００３８】
ここで本実施形態においては図４および図５に示すように、ボディ本体１の継手受口１４ａ，１４ｂ周辺部および管用継手２，２の差込連結部２５，２５によって、管用継手２，２の回転軸に沿って管路１５ａ，１５ｂが形成される。この管路１５ａ，１５ｂは、管路形成部１２ａ，１２ｂ内の管路（軸方向管路）１３ａ，１３ｂに対し直交する方向に延びる直交管路として構成されている。本実施形態においては、一方側管路形成部１２ａ（一方側軸方向管路１３ａ）がボディ本体１の右上の第１領域Ｒ１に形成されて、その一方側軸方向管路１３ａの後端から下方に折れ曲がるように一方側直交管路１５ａが形成されるとともに、他方側管路形成部１２ｂ（他方側軸方向管路１３ｂ）がボディ本体１の左下の第３領域Ｒ３に形成されて、その他方側軸方向管路１３ａの後端から上方に折れ曲がるように他方側直交管路１５ｂが形成される。このため一方側直交管路１５ａは、ボディ本体１の右側半分の第１および第２領域Ｒ１，Ｒ２において上下方向に沿って配置されるとともに、他方側直交流路１５ｂはボディ本体１の左側半分の第３および第４領域Ｒ３，Ｒ４において上下方向に沿って配置されるため、両直交管路１５ａ，１５ｂがボディ本体１の外周面から外径方向に突出するように配置されるのを回避することができる。
【００３９】
一方、図１および図８等に示すようにボディ本体１の前端面には、その両側位置にねじ切り孔１６，１６が形成されている。さらにボディ本体１の前側部１１における外周部の２箇所には、外周部の一部を構成するようにして係止爪１７がそれぞれ設けられている。両係止爪１７の周方向の一端側は回転自在に取り付けられるとともに、他端側は固定されずに自由端となっている。これにより両係止爪１７は、図８（ｂ）の実線に示す閉じた状態と、同図想像線に示す開いた状態との間で開閉自在に構成されている。各係止爪１７を閉じた状態では係止爪１７が前側部１１の外周に沿うように配置されてボディ本体１の前側部１１が正面視（前面視）で略円形に形成されて、外径寸法が浴槽壁Ｗにおける取付孔Ｈの内径寸法よりも小さくなるように構成されている。また図２Ａ等に示すように係止爪１７を開いた状態では係止爪１７が外径方向に突出するように配置される。この開いた状態では、ボディ１の前側部１１を取付孔Ｈに挿通できないように構成されるとともに、係止爪１７の爪先を浴槽壁Ｗにおける取付孔Ｈの周縁部に係止できるように構成されている。
【００４０】
またボディ本体１における前側部１１の裏面側に設けられる管路形成部１２ａ，１２ｂは、外径寸法が前側部１１の外径寸法よりも小さく形成されており、図８（ｂ）に示す正面視状態において、係止爪１７を閉じた状態の前側部１１の範囲内に管路形成部１２ａ，１２ｂが配置されるようになっている。さらにボディＢをＳ型仕様形態に設定した場合、２本の管用継手２，２は正面視状態において、係止爪１７を閉じた状態の前側部１１の範囲内に収まるように配置される。従ってボディＢはＳ型仕様形態では浴槽壁Ｗの取付孔Ｈに挿通できるように構成されている。なお管用継手２，２をＳ型仕様形態から少し折り曲げた状態、つまり管用継手２，２をボディ本体１に対し９０°よりも小さい角度に設定した状態であれば、管用継手２，２を浴槽壁Ｗの取付孔Ｈに挿入しつつ、ボディＢを適宜回転させるようにすれば、ボディＢを取付孔Ｈに挿通することができるように構成されている。
【００４１】
図１〜図６に示すようにアダプター本体５は、中空構造の円盤状の槽内突出部５１を備えている。槽内突出部５１はその外径寸法が浴槽壁Ｗにおける取付孔Ｈの内径寸法よりも大きく形成されており、取付孔Ｈに挿通できないようになっている、
槽内突出部５１の内部空間は仕切壁５２によって左右に仕切られている。また槽内突出部５１の外周壁下部前壁には、仕切壁５２によって仕切られた左右の内部空間に対応して吐出口５３，５３がそれぞれ形成されている。さらに槽内突出部５１の前壁には、左右の内部空間に対応して多数の小孔５４がそれぞれ形成されている。
【００４２】
槽内突出部５１の裏面側には、ボディＢの前側部１１における管路１３ａ，１３ｂの前端開口にそれぞれ対応して円筒状の管部５５，５５が後方に延びるように一体に形成されている。各管部５５，５５の内部と、槽内突出部５１内における左右の内部空間とはそれぞれ連通接続されている。従って管部５５，５５にその後端開口から導入された湯水は管部５５，５５を通って、対応する内部空間に導入されて、対応する吐出口５３，５３から吐出されるように構成されるとともに、吐出口５３，５３から吸引された浴槽内の湯水は、対応する内部空間に導入されて、対応する管部５５，５５の後端開口からそれぞれ流出するようになっている。
【００４３】
なお本実施形態においては、アダプター本体５の槽内突出部５１が前部として構成されるとともに、管部５５，５５が後部として構成されている。
【００４４】
図１、図４および図５に示すようにフランジ部材３は正面視円環状に形成されており、外径寸法が取付孔Ｈの内径寸法よりも大きく形成されて、取付孔Ｈを挿通できないように構成されている。
【００４５】
フランジ部材３には、アダプター本体５の管部５５，５５に対応して、管部挿通孔３１，３１が形成されている。さらにフランジ部材３の左右には、ねじ挿通孔３２，３２（図１に片側のみ示す）が形成されている。
【００４６】
またフランジ部材３の前後両面側には、環状のパッキン３８，３８が着脱自在に取り付けられている。
【００４７】
以上のように構成されたボディＢ、アダプター本体５およびフランジ部材３が以下のようにして浴槽壁Ｗに組み付けられている。すなわち図１、図４および図５に示すようにボディＢの各係止爪１７を開いた状態で各係止爪１７が浴槽壁Ｗの裏面側（槽外側）における取付孔Ｈの周縁部に係止するように配置されるとともに、フランジ部材３の外周縁部が浴槽壁Ｗの表面側（槽内側）における取付孔Ｈの周縁部に係止するように配置される。さらにアダプター本体Ａの管部５５，５５がフランジ部材３の管部挿通孔３１，３１に挿通されてボディＢの管路１３ａ，１３ｂの前端部に挿入された状態で槽内突出部５１がフランジ部材３の表面側に配置される。その状態でアダプター本体５にその前面側から貫通された２本のねじ４がフランジ部材３のねじ挿通孔３２，３２に挿通されてボディＢのねじ切り孔１６，１６にねじ込まれる。これによりアダプター本体５の槽内突出部５１とボディＢの前側部１１とがフランジ部材３を介して浴槽壁Ｗの取付孔周縁部を挟持し、ボディＢ、アダプター本体５およびフランジ部材３により構成される給湯口アダプターＡが浴槽壁Ｗに貫通状態に組み付けられる。
【００４８】
本実施形態の給湯口アダプターの取付構造においては図２Ａ〜図５に示すように２つの管用継手２，２の外管接続部２１，２１に、可撓性を有するフレキシブル管等によって構成される往き管および戻り管等の２本の外管９，９の一端が管バンド９１，９１を介してそれぞれ接続されるとともに、その２本の外管９，９の他端が室外の給湯機に接続される。そして湯はりをダブル搬送で行う場合には、室外給湯機から２本の外管９，９にそれぞれ湯水が供給されて、両外管９，９から管用継手２，２を介してボディＢの管路１３ａ，１３ｂ，１５ａ，１５ｂを通ってアダプター本体５の管部５５，５５内に導入されて、吐出口５３，５３から浴槽内に吐出されるようになっている。
【００４９】
また戻り管としての戻り側の外管９がボディＢにおける一方側の管路１３ａの管用継手２に接続されるとともに、往き管としての往き側の外管９が他方側の管路１３ｂの管用継手２に接続されている場合に追い焚きを行うと、アダプター本体５における一方側の吐出口５３から浴槽内の湯水が吸引されて、アダプター本体５の一方側の管部５５を通って、ボディＢの一方側の管路１３ａ，１５ａ内に導入される。一方側の管路１３ａ，１５ａに導入された湯水は一方側の管用継手２から戻り側の外管９に供給され、その外管９を通って室外給湯機に戻される。一方、給湯機に戻された湯水は加熱されて、往き側の外管９に供給され、ボディＢの他方側の管用継手２を介して他方側管路１３ｂ，１５ｂに導入される。他方側の管路１３ｂ，１５ｂに導入された湯水は、アダプター本体５の他方側の管部５５を通って他方側の吐出口５３から浴槽内に吐出されるようになっている。こうして湯水が浴槽内と室外給湯機との間で循環される。
【００５０】
なお言うまでもなく、戻り側の外管９がボディＢにおける他方側の管路１３ｂ，１５ｂの管用継手２に接続されるとともに、往き側の外管９が一方側の管路１３ａ，１５ａの管用継手２に接続された状態で追い焚きを行うと、上記と逆方向に湯水が循環されることとなる。
【００５１】
ところで、上記特許文献４に示す従来のＳＬ兼用の給湯口アダプターにおいてはボディ本体の外周面に管用継手が回転自在に取り付けられるため、管用継手がボディ本体の外周面から外側に突出するように配置され、管用継手を含めたボディ全体の径寸法が大きくなり、ボディの小型化を図ることが困難であった。
【００５２】
そこで本実施形態においては既述した通り、ボディ本体１内の２本の軸方向管路１３ａ，１３ｂのうち、一方側軸方向管路１３ａをボディ本体１の右上の第１区分Ｒ１に形成して、一方側直交管路１５ａを一方側軸方向管路１３ａの後端から下向きに配置するとともに、他方側軸方向管路１３ａをボディ本体１の左下の第３区分Ｒ３に形成して、他方側直交管路１５ｂを他方側軸方向管路１３ｂの後端から上向き配置しているため、両直交管路１５ａ，１５ｂがボディ本体１の右側半分および左側半分においてそれぞれ上下方向に沿って配置される。このため直交管路１５ａ，１５ｂがボディ本体１の外周面から外径方向に突出されるのを回避することができ、管用継手２を含めたボディＢ全体の小型化ないしスリム化を図ることができる。
【００５３】
また本実施形態の給湯口アダプターＡにおいては、ボディＢにおける管用継手２がボディ本体１に対して回転自在に取り付けられているため、組付現場の状況等に応じて、図２Ａおよび図３Ａに示すＳ型仕様形態と、図２Ｂおよび図３Ｂに示すＬ型仕様形態とのいずれの形態でも使用できる、いわゆるＳＬ兼用となる。このためＳ型とＬ型との２種類のボディを準備して適宜使い分けるような煩雑さがなく、利便性を向上させることができる。
【００５４】
ここで本実施形態においては、管用継手２，２の回転軸部に対応する両直交管路１５ａ，１５ｂを互いに前後方向に位置をずらせて形成しているため、管用継手２，２の互いの可動領域に直交管路等の部位が配置されるのを防止することができる。このため図２Ｂおよび図３Ｂに示すように管用継手２，２を他の部位に干渉させずに９０°側方に無理なく回転させることができる。従って確実にＬ型仕様形態に設定でき、Ｓ型およびＬ型兼用の給湯口アダプターＡとして不具合なく使用することができる。
【００５５】
なお本実施形態の給湯口アダプターＡにおけるボディＢは構造上、管用継手２，２のボディ本体１に対する回転角度の範囲が９０°以内となってしまうため、例えば図２Ｂおよび図３Ｂに示すように管用継手２，２を右側に９０°回転させた状態では使用できるものの、そのままの状態ではその反対の左側に９０°回転させることはできない。
【００５６】
しかしながら本実施形態の給湯口アダプターＡにおけるボディＢにおいては、以下に説明するように管用継手２，２を右側に９０°回転させた状態でも、左側に９０°回転させた状態でもいずれの状態にも対応することができる。
【００５７】
すなわち本実施形態の給湯口アダプターＡにおいては、ボディＢの前面の構成を、ボディＢの軸心を基準点とする点対称形状に形成している。このためアダプター本体５に対し、ボディＢを軸心回りに１８０°回転させた状態であっても、上記と同様に浴槽壁Ｗに組み付けることができる。つまりＬ型仕様形態としたボディＢを１８０°回転させて組み付けることにより、管用継手２，２を右側に９０°回転させた状態でも、左側に９０°回転させた状態でもいずれの状態にも設定することができ、より一層利便性を向上させることができる。
【００５８】
しかも本実施形態においては、ボディＢの前側部１１を浴槽壁Ｗの取付孔Ｈよりも小さく形成するとともに、ボディＢの管路形成部１２ａ，１２ｂや管用継手２，２等の前側部１１以外の部位を、正面視において前側部１１の範囲内に収まるように形成しているため、ボディＢを取付孔Ｈに挿通することができ、以下に説明するように給湯口アダプターＡを浴槽内側からの作業のみで組み付ける内側施工方法を採用することができる。
【００５９】
例えば本実施形態の給湯口アダプターＡにおいては、浴槽壁Ｗに組み付けられた既存の給湯口アダプターを付け替える際に上記の内側施工方法が採用される。
【００６０】
まず、既存の給湯口アダプター（旧アダプター）におけるアダプター本体５に対応する部材を取り外す。続いて、旧アダプターにおけるフランジ部材３に対応する部材（旧雄ねじ部材）を取り外すが、その前に旧アダプターにおけるボディＢに対応する部材（旧ボディ）に、浴槽内側から取付孔を通じてワイヤー等の案内部材の端部を固定しておく。その状態で旧雄ねじ部材を取り外して旧ボディを浴槽外側において取り外す。その後、旧ボディに接続された２本の外管（旧外管）を室外給湯機側から引っ張って、旧ボディおよび案内部材を作業可能な広いスペースまで引き出して、旧ボディを案内部材から取り外して、旧ボディおよび旧外管を廃棄する。
【００６１】
その後、室外給湯機に接続した新たな２本の外管９を、案内部材の端部に固定する。なお旧外管を交換せずに給湯口アダプターのみを交換するような場合には、旧外管を廃棄せずにその旧外管を案内部材に固定することになる。
【００６２】
次に浴槽内側から案内部材を引っ張って、外管９の端部を取付孔Ｈを介して浴槽内側に引き込む。続いて外管９から案内部材を取り外してから、その外管９の端部に本実施形態の給湯口アダプターＡにおけるボディＢを取り付ける。すなわちボディＢの外管接続部２１に外管９の端部を嵌め込んで、外管９の接続端部外周に管バンド９１を巻き付けて固定する。
【００６３】
なおボディＢに外管９を接続するに際には、予めボディＢの外管接続部２１に短寸の補助外管を管バンド９１を介して固定しておき、その補助外管に管用継手等を介して、浴槽内に引き込んだ外管９を接続するようにしても良い。
【００６４】
こうしてボディＢに外管９を接続した後、ボディＢを外管９と共に取付孔Ｈを介して浴槽外部に配置する。このとき適当な治具を用いてボディＢを浴槽外部に仮保持しておく。
【００６５】
次にドライバー等を用いて浴槽内側から取付孔Ｈを通じてボディＢの係止爪１７を開く。
【００６６】
続いてフランジ部材３を浴槽壁Ｗの内側における取付孔Ｈの位置に配置しておいて、アダプター本体５をその管部５５，５５をフランジ部材３の管部挿通孔３１を通じてボディＢの基板前面側における管路１２ａ，１２ｂの前端部に差し込み、その状態でアダプター本体５の前面側からねじ４，４を貫通してフランジ部材３のねじ挿通孔３２を通じてボディＢのねじ切り孔１６，１６にねじ込んでいく。これにより、ボディＢを前面側（浴槽壁外面）に引き寄せて、ボディＢの係止爪１７を浴槽壁外面の取付孔周縁部に圧接すると同時に、アダプター本体５における槽内突出部５１の裏面側外周縁部をフランジ部材３の外周縁部を介して浴槽壁内面の取付孔周縁部に圧接する。こうしてボディＢおよびアダプター本体５を、両者で浴槽壁Ｗの取付孔周縁部を内外から挟持することにより浴槽壁Ｗに固定する。これにより本実施形態の給湯口アダプターＡが浴槽壁Ｗに組み付けられて、給湯口アダプターの交換作業（組付作業）が完了する。
【００６７】
このように浴槽外側（裏側）の取付孔周辺で作業できないような場合でも、旧アダプターを取り外して新規の給湯口アダプターＡを確実に組み付けることができる。
【００６８】
なお上記実施形態においては、ボディ本体１の一方側管路１３ａのほぼ全域を第１区分Ｒ１に形成するとともに、他方側管路１３ｂのほぼ全域を第３区分Ｒ３に形成するようにしているが、それだけに限られず、本発明においては、一方側管路１３ａの少なくとも後側部を第１区分Ｒ１に形成するとともに、他方側管路１３ｂの少なくとも後側部を第３区分Ｒ３に形成するようにすれば良い。つまり両管路１３ａ，１３ｂの後側部を第１および第３区分Ｒ１，Ｒ３に形成しておけば、両管路１３ａ，１３ｂの前側部はどの位置に配置されていても良く、例えば両管路１３ａ，１３ｂの前端開口を、ボディ本体１の前面において上下方向中間位置で左右に並べて配置したり、左右方向の中間位置で上下に並べて配置するようにしても良い。
【００６９】
また上記実施形態においては、ボディ本体１を４つの区分に区分けする際に、正面視において上下方向（垂直方向）および左右方向（水平方向）の線分によって区分けするようにしているが、それだけに限られず、本発明においては、上下方向や左右方向に対し傾斜するような線分によって、ボディ本体１を区分けするようにしても良い。例えば時計の文字盤を例に挙げて説明すると、時計回りで１０時半から１時半までの範囲を第１区分、１時半から４時半までの範囲を第２区分、４時半から７時半までの範囲を第３区分、７時半から１０時半までの範囲を第４区分と区分けするようにしても良い。
【００７０】
また上記実施形態においては、他方側管路形成部１２ｂ（他方側管路１３ｂ）の後端を一方側管路形成部１２ａ（一方側管路１３ａ）の後端よりも後方に配置するようにしているが、それだけに限られず、本発明においては、一方側管路形成部（一方側管路）の後端を他方側管路形成部（他方側管路）の後端よりも後方に配置するようにしても良い。
【００７１】
また上記実施形態においては、管用継手２に差込連結部２５を形成して、その差込連結部２５をボディ本体１の継手受口１４ａ，１４ｂに差し込むようにしているが、それだけに限られず、本発明においては、ボディ本体１の継手受口１４ａ，１４ｂの周縁部を突出させて差込連結部として構成し、そのボディ本体１側の差込連結部を、管用継手２の連結口２６に回転自在に連結するようにしても良い。
【００７２】
また上記実施形態においては、ボディＢを浴槽壁Ｗの取付孔Ｈに挿通できる大きさや形状に形成しているが、それだけに限られず、本発明においては、ボディＢを取付孔Ｈに挿通できない大きさや形状に形成しても良い。
【００７３】
また上記実施形態においては、給湯口アダプターを交換する際に、本発明の給湯口アダプターＡを用いる場合を例に挙げて説明したが、それだけに限られず、本発明の給湯口アダプターは、新築時や、浴槽全体のリフォーム時等、アダプターが未装着の浴槽壁に給湯口アダプターを新規に取り付ける場合にも適用することができる。
【００７４】
また上記実施形態においては、ボディＢおよびアダプター本体５をねじ４を介して浴槽壁Ｗに固定するようにしているが、本発明においては、ボディＢやアダプター本体５の浴槽壁Ｗへの固定方法は特に限定されるものではなく、どのような固定手段を用いても良い。例えばフランジ部材３およびボディＢをねじ止めによって内外から浴槽壁Ｗの取付孔周辺に圧接させて固定するとともに、その固定されたフランジ部材３にアダプター本体５をねじ止めによって固定するようにしても良い。
【産業上の利用可能性】
【００７５】
この発明の給湯口アダプターは、浴槽壁に貫通状態に組み付けられる循環金具等として用いることができる。
【符号の説明】
【００７６】
１：ボディ本体
１３ａ，１３ｂ：管路
１４ａ，１４ｂ：継手受口
２：管用継手
２１：外管接続部
２６：連結口
３：フランジ部材
５：アダプター本体
Ａ：給湯口アダプター
Ｂ：ボディ
Ｈ：取付孔
Ｒ１〜Ｒ４：第１〜第４区分
Ｗ：浴槽壁
【図１】
2018063062.tif 000003
【図２Ａ】
2018063062.tif 000004
【図２Ｂ】
2018063062.tif 000005
【図３Ａ】
2018063062.tif 000006
【図３Ｂ】
2018063062.tif 000007
【図４】
2018063062.tif 000008
【図５】
2018063062.tif 000009
【図６】
2018063062.tif 000010
【図７】
2018063062.tif 000011
【図８】
2018063062.tif 000012
【図９】
2018063062.tif 000013